(57)【要約】【課題】ダイヤフラム弁のコストを抑え、１列に多数のフィルタを垂下した大型のバグ式集塵機の場合でも、装置全体のコストを低減しつつ、十分な洗浄用空気を確保することができるバグ式集塵機を提供すること。【解決手段】含塵空気を濾過するフィルタ７と、このフィルタ７に対向して、パルス空気供給管８に配設した逆洗用の圧力空気噴出ノズル９と、パルス空気供給管８に主圧力空気供給管１１からの圧縮空気を供給するダイヤフラム弁１０とを備え、圧力空気噴出ノズル９から噴出される圧縮空気によってフィルタ７を逆洗するようにしたバグ式集塵機１において、１本のパルス空気供給管８の分岐管８ａ、８ｂがそれぞれダイヤフラム弁１０を介して主圧力空気供給管１１に接続されている。【選択図】図１
2007175635.tif 000002
【特許請求の範囲】
【請求項１】
含塵空気を濾過するフィルタと、該フィルタに対向して、パルス空気供給管に配設した逆洗用の圧力空気噴出ノズルと、前記パルス空気供給管に主圧力空気供給管からの圧縮空気を供給するダイヤフラム弁とを備え、前記圧力空気噴出ノズルから噴出される圧縮空気によってフィルタを逆洗するようにしたバグ式集塵機において、１本のパルス空気供給管の分岐管がそれぞれダイヤフラム弁を介して主圧力空気供給管に接続されていることを特徴とするバグ式集塵機。
【請求項２】
流通抵抗に応じて、開放するダイヤフラム弁の個数を変更する制御機構を配設したことを特徴とする請求項１記載のバグ式集塵機。
【発明の詳細な説明】
【技術分野】
【０００１】
本発明は、バグ式集塵機に関し、特にフィルタのクリーニング用のダイヤフラム弁の改良に関するものである。
【背景技術】
【０００２】
一般に家庭用ごみ等を焼却するごみ焼却炉から排出する排ガス中には、ダストとともにＨＣｌ、あるいはＮＯｘ、ＳＯｘ等の有害ガスを含んでいるため、ダストの捕集とともにこれら有害ガスの処理が望まれている。
このため１つの手段として中和剤として消石灰を予め供給し、バグフィルタ表面に反応層を形成しておき、次いで焼却炉から発生する含塵空気を冷却した後、これに消石灰の適量（通常は例えばＨＣｌに対し２〜３倍の当量比）を連続して供給し、中和する運転方法が採られている。次いでバグフィルタにダストが多量に付着し、所定以上の流通抵抗（圧損）に上昇したときは、上記反応層を残存してダストを払い落とすべく逆洗条件を選定して圧力空気を噴出して逆洗を行う手段が採られている。
【０００３】
このバグ式集塵機１は、図５〜図６に示すように、筐体２の内部を区画壁３により上下に区画し、下部を含塵空気導入室４、上部を浄化空気室５とし、含塵空気導入室４は塵埃発生源（図示省略）に接続し浄化空気室５は吸引装置Ｆに接続されている。上記区画壁３には多数の有底筒状のフィルタ７を垂下して取付け、各フィルタ７は各列毎にそれぞれクリーニング用のパルス空気供給管８を配備し、それぞれフィルタ７に対し圧力空気噴出ノズル９を取付ける。このパルス空気供給管８はダイヤフラム弁１０を介して主圧力空気供給管１１に接続されている。
【０００４】
これにより常時は吸引装置Ｆの吸引力によりダスト発生源からのダストを含んだ空気は含塵空気導入室４に導かれ、フィルタ７の外部から内部側に流入し濾過されて浄化空気室５を介して排出される。次いでフィルタ７にダストが蓄積し、流通抵抗が所定値に到達したことを圧力測定器６によって検知したとき、又は一定時間経過後に電磁弁ボックス１２内の電磁弁を開放することによって気抜管１０ａを介し、ダイヤフラム弁１０を作動させ、主圧力空気供給管１１内の圧力空気をパルス空気供給管８に導出し、パルス空気供給管８の各列毎に配設した圧力空気噴出ノズル９からクリーニング用のパルス空気を噴射し、フィルタ７をクリーニングする（例えば、特許文献１参照）。
【０００５】
しかし、各列毎に配設するダイヤフラム弁１０は、フィルタ７のサイズが直径１６４ｍｍ、長さ７ｍの場合、１列に７本以下であれば、１回の開放で２５０Ｌ程度の洗浄用空気を通過させることのできるもので十分であり製造コストも安価に抑えることができるものの、１列に８本以上のフィルタ７を垂下する大型のバグ式集塵機の場合、ダイヤフラム弁１０のサイズを大型化する必要があり、列数の多い大型のバグ式集塵機では、製造コストが嵩むといった問題があった。
【特許文献１】特開２００４−３５１３２３号公報
【発明の開示】
【発明が解決しようとする課題】
【０００６】
本発明は、上記従来の集塵機用フィルタの交換方法の有する問題点に鑑み、ダイヤフラム弁のコストを抑え、１列に多数のフィルタを垂下した大型のバグ式集塵機の場合でも、装置全体のコストを低減しつつ、十分な洗浄用空気を確保することができるバグ式集塵機を提供することを目的とする。
【課題を解決するための手段】
【０００７】
上記目的を達成するため、本発明のバグ式集塵機は、含塵空気を濾過するフィルタと、該フィルタに対向して、パルス空気供給管に配設した逆洗用の圧力空気噴出ノズルと、前記パルス空気供給管に主圧力空気供給管からの圧縮空気を供給するダイヤフラム弁とを備え、前記圧力空気噴出ノズルから噴出される圧縮空気によってフィルタを逆洗するようにしたバグ式集塵機において、１本のパルス空気供給管の分岐管がそれぞれダイヤフラム弁を介して主圧力空気供給管に接続されていることを特徴とする。
【０００８】
この場合において、流通抵抗に応じて、開放するダイヤフラム弁の個数を変更する制御機構を配設することができる。
【発明の効果】
【０００９】
本発明のバグ式集塵機によれば、１本のパルス空気供給管に対して複数個のダイヤフラム弁を配設するから、１列に多数のフィルタを垂下した大型のバグ式集塵機の場合でも、小型で安価なダイヤフラム弁を利用することができ装置全体のコストを安価に抑えることのできるバグ式集塵機を提供することができる。
【００１０】
また、流通抵抗に応じて、開放するダイヤフラム弁の個数を変更する制御機構を配設するときは、バグフィルタに付着するダストの量に応じて変化する流通抵抗（圧損）に応じた圧力空気を噴出して逆洗することができ、必要以上に反応層をバグフィルタ表面から吹き落とすことのないバグ式集塵機を提供することができる。
【発明を実施するための最良の形態】
【００１１】
以下、本発明のバグ式集塵機の実施の形態を、図面に基づいて説明する。なお、従来装置と同様の構造については同一の符号、一連の符号を付し説明を省略する。
【実施例１】
【００１２】
図１〜図３に、本発明のバグ式集塵機の第１実施例を示す。
【００１３】
本発明のバグ式集塵機１は、従来装置と同様、筐体２の内部を区画壁３により上下に区画し、下部を含塵空気導入室４、上部を浄化空気室５とし、含塵空気導入室４は塵埃発生源（図示省略）に接続し浄化空気室５は吸引装置Ｆに接続されている。上記区画壁３には多数の有底筒状のフィルタ７を垂下して取付け、各フィルタ７は各列毎にそれぞれクリーニング用のパルス空気供給管８を配備し、それぞれフィルタ７に対し圧力空気噴出ノズル９を取付ける。このパルス空気供給管８はダイヤフラム弁１０を介して主圧力空気供給管１１に接続されている。
【００１４】
そして、本発明のバグ式集塵機１は、１本のパルス空気供給管８の分岐管８ａ、８ｂがそれぞれダイヤフラム弁１０を介して主圧力空気供給管１１に接続されている。ダイヤフラム弁１０、１０はその内部の圧力を、電磁弁ボックス１２内の電磁弁を開放することによって気抜管１０ａを介して減圧し、主圧力空気供給管１１内の圧縮空気をパルス空気供給管８に導くものである。この際、気抜管１０ａは、Ｔ字型継ぎ手によって合流させ、１の電磁弁によってダイヤフラム弁１０内の圧力を減圧するようにしている。
なお、気抜管１０ａ、１０ａ’は、図例では主圧力空気供給管１１の上側のダイヤフラム弁１０の方が、下側のダイヤフラム弁１０’までよりも短くしているが同長にしてもよい。
【００１５】
本実施例では、フィルタ７のサイズが直径１６４ｍｍ、長さ７ｍのものを１列に９本垂下した例を示し、主圧力空気供給管１１の圧力が約０．５ＭＰａで、開放時間０．２ｓｅｃの場合に１回のダイヤフラム弁１０の開放で３５０Ｌ程度の洗浄用空気の通過が必要となり、１台のダイヤフラム弁１０を使用する場合、呼び径６５Ａ（２・１／２インチ）の大型で高価なダイヤフラム弁が必要なところ、本発明では、呼び径４０Ａ（１・１／２インチ）のダイヤフラム弁を２台使用することによって十分な洗浄能力を得ることができた。
【実施例２】
【００１６】
図４に、本発明のバグ式集塵機の第２実施例を示す。このバグ式集塵機１は、実施例１と同様の構成からなり、複数のダイヤフラム弁１０、１０’のそれぞれ１つずつに、１つの電磁弁１２ａ、１２ａ’を電磁弁ボックス１２に配設し、ダイヤフラム弁１０、１０’とはそれぞれ気抜管１０ａ、１０ａ’によって連結する。圧力測定器６によって計測する含塵空気導入室４と浄化空気室５との差圧、つまり流通抵抗に応じて、開放するダイヤフラム弁１０、１０’の個数を変更する制御機構１３を配設するようにしている。
【００１７】
そして、ダイヤフラム弁１０の個数とサイズを適宜変更することによって、流通抵抗の値に応じた最適な清浄空気の噴出量に変更することができ、過度な圧縮空気の噴射によってフィルタ７表面に形成させた反応層を吹き落とすことを有効に防止することができる。
【００１８】
以上、本発明のバグ式集塵機について、実施例に基づいて説明したが、本発明は上記実施例に記載した構成に限定されるものではなく、その趣旨を逸脱しない範囲において適宜その構成を変更することができるものである。
【産業上の利用可能性】
【００１９】
本発明のバグ式集塵機は、小型のダイヤフラム弁を複数個利用することによって十分な洗浄能力をもつことができるという特性を有していることから、大型のバグ式集塵機に適用する用途に好適に用いることができる。
【図面の簡単な説明】
【００２０】
【図１】本発明のバグ式集塵機の第１実施例を示す一部断面の正面拡大図である。
【図２】同バグ式集塵機の一部断面の正面図である。
【図３】図２におけるＸ−Ｘ矢視図である。
【図４】本発明のバグ式集塵機の第２実施例を示す一部断面の正面拡大図である。
【図５】従来のバグ式集塵機の一部断面の正面拡大図である。
【図６】従来のバグ式集塵機の一部断面の正面図である。
【符号の説明】
【００２１】
１    バグ式集塵機
６    ダスト濃度測定器
７    フィルタ
８    パルス空気供給管
８ａ  分岐管
８ｂ  分岐管
９    圧力空気噴出ノズル
１０  ダイヤフラム弁
１０’ダイヤフラム弁
１１  主圧力空気供給管
１３  制御機構
【図１】
2007175635.tif 000003
【図２】
2007175635.tif 000004
【図３】
2007175635.tif 000005
【図４】
2007175635.tif 000006
【図５】
2007175635.tif 000007
【図６】
2007175635.tif 000008